(57)【特許請求の範囲】
【請求項１】
電圧制御型水晶発振器を備え、量子干渉効果を利用して前記電圧制御型水晶発振器の発振周波数を補正して発振する原子発振器と、
前記電圧制御型水晶発振器とは別体として設けられた温度制御型発振器と、
前記原子発振器の出力信号に基づいて前記温度制御型発振器の出力信号を補正する補正手段と、
前記原子発振器および前記温度制御型発振器を収納する筐体と、
前記筐体内の温度を調節する温度調節手段とを有することを特徴とする発振装置。
【請求項２】
前記温度調節手段は、前記筐体を加熱または冷却する温度調節素子を備える請求項１に記載の発振装置。
【請求項３】
前記筐体は、第１の筐体と、前記第１の筐体を収納する第２の筐体とを有する請求項２に記載の発振装置。
【請求項４】
前記温度調節素子は、前記第１の筐体と前記第２の筐体との間に設けられている請求項３に記載の発振装置。
【請求項５】
前記温度調節手段は、前記温度調節素子を制御する温度制御回路を備え、
前記温度制御回路は、前記第１の筐体と前記第２の筐体との間に設けられている請求項３または４に記載の発振装置。
【請求項６】
前記原子発振器および前記温度制御型発振器は、前記第１の筐体内に配設されている請求項３ないし５のいずれか一項に記載の発振装置。
【請求項７】
前記原子発振器および前記温度制御型発振器を覆う断熱層を備える請求項１ないし６のいずれか一項に記載の発振装置。
【請求項８】
前記断熱層は、減圧された空間を含んでいる請求項７に記載の発振装置。
【請求項９】
前記原子発振器は、ガス状の原子が封入されるガスセルと、前記原子を励起する励起光を出射する光出射部と、前記ガスセルを透過した前記励起光を検出する光検出部とを有し、量子干渉効果を利用して発振可能に構成されたものであり、
前記温度制御型発振器は、水晶振動子を有し、前記水晶振動子の温度を調節可能である請求項１ないし８のいずれか一項に記載の発振装置。
【請求項１０】
請求項１ないし９のいずれか一項に記載の発振装置を備えていることを特徴とする電子装置。
【発明の詳細な説明】
【技術分野】
【０００１】
本発明は、発振装置および電子装置に関するものである。
【背景技術】
【０００２】
ルビジウム、セシウム等のアルカリ金属の原子のエネルギー遷移に基づいて発振する原子発振器が知られている。
このような原子発振器は、一般に、長期的に高精度な発振特性を有するものの、短期的な発振特性が水晶発振器に劣る。
そこで、従来、このような原子発振器を備える発振装置として、原子発振器と、温度制御型水晶発振器（Oven Controlled Crystal Oscillator：ＯＣＸＯ）とを有し、原子発振器の出力信号に基づいて、温度制御型水晶発振器の出力信号を補正するものが知られている（例えば、特許文献１参照）。
近年、このような発振装置においては、小型化および簡素化を図りつつ、発振特性のさらなる高精度化が求められている。
【先行技術文献】
【特許文献】
【０００３】
【特許文献１】特開２００６−３１４０４７号公報
【発明の概要】
【発明が解決しようとする課題】
【０００４】
本発明の目的は、長期にわたり優れた発振特性を発揮し得るとともに、小型化および簡素化を図ることができる発振装置、および、この発振装置を備えた電子装置を提供することにある。
【課題を解決するための手段】
【０００５】
本発明は、上述の課題の少なくとも一部を解決するためになされたものであり、以下の形態または適用例として実現することが可能である。
［適用例１］
本発明の発振装置は、電圧制御型水晶発振器を備え、量子干渉効果を利用して前記電圧制御型水晶発振器の発振周波数を補正して発振する原子発振器と、
前記電圧制御型水晶発振器とは別体として設けられた温度制御型発振器と、
前記原子発振器の出力信号に基づいて前記温度制御型発振器の出力信号を補正する補正手段と、
前記原子発振器および前記温度制御型発振器を収納する筐体と、
前記筐体内の温度を調節する温度調節手段とを有することを特徴とする。
【０００６】
このように構成された発振装置によれば、原子発振器と温度制御型発振器とを共通の温度調節手段により温度調節することができる。その結果、発振装置の小型化および簡素化を図ることができる。また、原子発振器および温度制御型発振器に対する外部の温度変化による影響を防止または低減して、原子発振器および温度制御型発振器の発振特性を優れたものとすることができる。
また、原子発振器の出力信号に基づいて温度制御型発振器の出力を補正することにより、長期にわたり優れた発振特性を発揮することができる。
【０００７】
［適用例２］
本発明の発振装置では、前記温度調節手段は、前記筐体を加熱または冷却する温度調節素子を備えることが好ましい。
これにより、外部の温度が変化しても、筐体内の温度を適正温度範囲に維持することができる。
【０００８】
［適用例３］
本発明の発振装置では、前記筐体は、第１の筐体と、前記第１の筐体を収納する第２の筐体とを有することが好ましい。
これにより、筐体の内層と外層との間の空間が断熱層を構成する。そのため、筐体内に対する外部の温度変化の影響を低減することができる。
【０００９】
［適用例４］
本発明の発振装置では、前記温度調節素子は、前記第１の筐体と前記第２の筐体との間に設けられていることが好ましい。
これにより、比較的簡単な構成で、筐体内を均一に温度調節することができる。
［適用例５］
本発明の発振装置では、前記温度調節手段は、前記温度調節素子を制御する温度制御回路を備え、
前記温度制御回路は、前記第１の筐体と前記第２の筐体との間に設けられていることが好ましい。
これにより、筐体内に対する外部の温度変化の影響をより効果的に低減することができる。
【００１０】
［適用例６］
本発明の発振装置では、前記原子発振器および前記温度制御型発振器は、前記第１の筐体内に配設されていることが好ましい。
［適用例７］
本発明の発振装置では、前記原子発振器および前記温度制御型発振器を覆う断熱層を備えることが好ましい。
これにより、筐体内に対する外部の温度変化の影響を低減することができる。
［適用例８］
本発明の発振装置では、前記断熱層は、減圧された空間を含んでいることが好ましい。
これにより、筐体内に対する外部の温度変化の影響をより効果的に低減することができる。
【００１１】
［適用例９］
本発明の発振装置では、前記原子発振器は、ガス状の原子が封入されるガスセルと、前記原子を励起する励起光を出射する光出射部と、前記ガスセルを透過した前記励起光を検出する光検出部とを有し、量子干渉効果を利用して発振可能に構成されたものであり、
前記温度制御型発振器は、水晶振動子を有し、前記水晶振動子の温度を調節可能であることが好ましい。
これにより、原子発振器の長期的に優れた発振特性と、温度制御型発振器の短期的に優れた発振特性との両長所を生かし、長期にわたり優れた発振特性を発揮することができる。また、量子干渉効果を利用した原子発振器は、二重共鳴現象を利用した原子発振器に比し、小型化が可能である。そのため、発振装置の小型化を図ることができる。
［適用例１０］
本発明の電子装置は、本発明の発振装置を備えていることを特徴とする。
これにより、優れた信頼性を有する電子装置を提供することができる。
【図面の簡単な説明】
【００１２】
【図１】本発明の第１実施形態に係る発振装置の概略構成を示すブロック図である。
【図２】図１に示す発振装置の概略構成を示す断面図である。
【図３】図１に示す発振装置の原子発振器に備えられたガスセル内のアルカリ金属のエネルギー状態を説明するための図である。
【図４】図１に示す発振装置の原子発振器に備えられた光出射部および光検出部について、光出射部からの２つの光の周波数差と、光検出部の検出強度との関係を示すグラフである。
【図５】本発明の第２実施形態に係る発振装置の概略構成を示す断面図である。
【図６】ＧＰＳ衛星を利用した測位システムに第１実施形態の発振装置を用いた場合のシステム構成概要図である。
【発明を実施するための形態】
【００１３】
以下、本発明の発振装置および電子装置を添付図面に示す実施形態に基づいて詳細に説明する。
＜第１実施形態＞
図１は、本発明の第１実施形態に係る発振装置の概略構成を示すブロック図、図２は、図１に示す発振装置の概略構成を示す断面図、図３は、図１に示す発振装置の原子発振器に備えられたガスセル内のアルカリ金属のエネルギー状態を説明するための図、図４は、図１に示す発振装置の原子発振器に備えられた光出射部および光検出部について、光出射部からの２つの光の周波数差と、光検出部の検出強度との関係を示すグラフである。
【００１４】
図１に示す発振装置１は、原子発振器２と、温度制御型水晶発振器３と、補正手段４と、温度調節手段５とを備える。
また、発振装置１は、図２に示すように、原子発振器２および温度制御型水晶発振器３を収納する筐体６を備える。
この発振装置１では、原子発振器２と温度制御型水晶発振器３とを共通の温度調節手段５により温度調節する。これにより、発振装置１の小型化および簡素化を図ることができる。また、原子発振器２および温度制御型水晶発振器３に対する外部の温度変化による影響を防止または低減して、原子発振器２および温度制御型水晶発振器３の発振特性を優れたものとすることができる。
また、補正手段４が、原子発振器２の出力信号に基づいて温度制御型水晶発振器３の出力を補正する。これにより、長期にわたり優れた発振特性を発揮することができる。
【００１５】
以下、発振装置１の各部の構成を順次詳細に説明する。
［原子発振器］
原子発振器２は、量子干渉効果を利用して発振するように構成された原子発振器である。量子干渉効果を利用した原子発振器は、二重共鳴現象を利用した原子発振器に比し、小型化を図ることができる。
この原子発振器２は、図１に示すように、ガスセル２１と、光出射部２２と、光検出部２３と、発振回路２４とを備え、これらは、原子発振器２が備えるパッケージ（図示せず）内に収納されている。
【００１６】
以下、原子発振器２の各部を順次詳細に説明する。
ガスセル２１内には、ガス状のルビジウム、セシウム、ナトリウム等のアルカリ金属が封入されている。
アルカリ金属は、図３に示すように、３準位系のエネルギー準位を有しており、エネルギー準位の異なる２つの基底状態（基底状態１、２）と、励起状態との３つの状態をとり得る。ここで、基底状態１は、基底状態２よりも低いエネルギー状態である。
【００１７】
このようなガス状のアルカリ金属に対して周波数の異なる２種の共鳴光１、２を前述したようなガス状のアルカリ金属に照射すると、共鳴光１の周波数ω１と共鳴光２の周波数ω２との差（ω１−ω２）に応じて、共鳴光１、２のアルカリ金属における光吸収率（光透過率）が変化する。
そして、共鳴光１の周波数ω１と共鳴光２の周波数ω２との差（ω１−ω２）が基底状態１と基底状態２とのエネルギー差に相当する周波数に一致したとき、基底状態１、２から励起状態への励起がそれぞれ停止する。このとき、共鳴光１、２は、いずれも、アルカリ金属に吸収されずに透過する。このような現象をＣＰＴ現象または電磁誘起透明化現象（ＥＩＴ：Electromagnetically Induced Transparency）と呼ぶ。
【００１８】
そして、例えば、共鳴光１の周波数ω１を固定し、共鳴光２の周波数ω２を変化させていくと、共鳴光１の周波数ω１と共鳴光２の周波数ω２との差（ω１−ω２）が基底状態１と基底状態２とのエネルギー差に相当する周波数ω０に一致したとき、ガス状のアルカリ金属を透過した光の強度は、図４に示すように、急峻に上昇する。このような急峻な変化をＥＩＴ信号として検出したとき、このＥＩＴ信号は、アルカリ金属の種類によって決まった固有値をもっている。したがって、このようなＥＩＴ信号を用いることにより、発振器を構成することができる。
【００１９】
このようなガスセル２１は、図示しないが、例えば、柱状の貫通孔を有する本体部と、この貫通孔の両開口を封鎖する１対の窓部とを有する。これにより、アルカリ金属が封入される内部空間が形成される。
この本体部を構成する材料は、特に限定されず、金属材料、樹脂材料等であってもよく、窓部と同様にガラス材料、水晶等であってもよい。また、この窓部を構成する材料としては、前述したような励起光に対する透過性を有していれば、特に限定されないが、例えば、ガラス材料、水晶等が挙げられる。
【００２０】
また、ガスセル２１は、ガスセル２１の温度を検出する温度センサーの検知結果に基づいて通電制御されるヒーター（図示せず）により加熱される。これにより、ガスセル２１中のアルカリ金属をガス状に維持することができる。
また、ガスセル２１には、必要に応じて、通電によりコイルからの磁場が印加される。これにより、ガスセル２１中のアルカリ金属の縮退している異なるエネルギー状態間のギャップを拡げて、分解能を向上させることができる。その結果、原子発振器２の発振周波数の精度を高めることができる。
【００２１】
光出射部２２は、ガスセル２１中のアルカリ金属原子を励起する励起光を出射する機能を有する。
より具体的には、光出射部２２は、ガスセル２１に向けて、前述したような周波数の異なる２種の光（共鳴光１および共鳴光２）を出射するものである。
共鳴光１の周波数ω１は、ガスセル２１中のアルカリ金属を前述した基底状態１から励起状態に励起し得るものである。
【００２２】
また、共鳴光２の周波数ω２は、ガスセル２１中のアルカリ金属を前述した基底状態２から励起状態に励起し得るものである。
このような光出射部２２としては、前述したような励起光を出射し得るものであれば、特に限定されないが、例えば、垂直共振器面発光レーザー（ＶＣＳＥＬ）等の半導体レーザー等を用いることができる。
【００２３】
なお、光出射部２２とガスセル２１との間には、必要に応じて、レンズ、減光フィルター、λ／４波長板、偏光板等の光学素子が設けられる。これにより、ガスセル２１に照射される励起光の強度、スポット径、偏光等を調整することができる。
光検出部２３は、ガスセル２１の内部空間を透過した励起光（共鳴光１、２）の強度を検出する機能を有する。
具体的には、光検出部２３は、前述したようなＥＩＴ信号の有無を検出する。
【００２４】
そして、図示しない回路が、光検出部２３の検出結果に基づいて、光出射部２２の駆動を制御する。これにより、光出射部２２が前述したような共鳴光１、２を出射した状態を維持することができる。
この光検出部２３としては、上述したような励起光を検出し得るものであれば、特に限定されないが、例えば、太陽電池、フォトダイオード等の光検出器（受光素子）を用いることができる。
【００２５】
発振回路２４は、図示しない水晶振動子（温度制御型水晶発振器３の水晶振動子３１とは別体）の周波数に基づいて発振するものである。
また、この発振回路２４は、発振周波数が可変であり、光検出部２３で検出されたＥＩＴ信号に基づいて、発振周波数が補正される。例えば、発振回路２４は、上記水晶振動子と組み合わせた状態で、電圧制御型水晶発振器を構成するものである。
【００２６】
［温度制御型水晶発振器（ＯＣＸＯ）］
温度制御型水晶発振器３（温度制御型発振器）は、図１に示すように、水晶振動子３１と、発振回路３２とを備える。
そして、温度制御型水晶発振器３は、水晶振動子３１の温度を所定温度に温度調節するように構成されている。具体的には、少なくとも水晶振動子３１が、温度制御型水晶発振器３が備える恒温槽（図示せず）内に設けられている。かかる恒温槽内は、所定温度に温度調節されている。また、かかる恒温槽は、１つの壁によって構成されたものであってもよいし、２つ（二重）の壁によって構成されたもの（ダブルオーブン）であってもよい。
【００２７】
水晶振動子３１は、特に限定されず、各種水晶振動子を用いることができるが、例えば、ＡＴカット振動子、ＳＴカット振動子等を用いることができる。
発振回路３２は、水晶振動子３１の周波数に基づいて発振するものである。
また、発振回路３２は、発振周波数が可変であり、後述する補正手段４により、前述した原子発振器２の出力信号に基づいて、発振周波数が補正される。例えば、温度制御型水晶発振器３は、電圧制御型水晶発振器（Voltage Controlled Oscillator）を構成するものである。
【００２８】
［補正手段］
補正手段４は、前述した原子発振器２の出力信号（発振周波数）に基づいて、前述した温度制御型水晶発振器３の出力信号（発振周波数）を補正するものである。これにより、長期にわたり優れた発振特性を発揮することができる。
この補正手段４は、図１に示すように、周波数比較器４１と、周波数制御回路４２とを備える。
【００２９】
周波数比較器４１は、原子発振器２の出力信号（発振周波数）と、温度制御型水晶発振器３の出力信号（発振周波数）とを比較し、その差分またはその有無に応じた電圧を比較結果として出力するものである。
周波数制御回路４２は、周波数比較器４１の比較結果に基づいて、温度制御型水晶発振器３の出力信号（発振周波数）を制御するものである。具体的には、周波数制御回路４２は、周波数比較器４１の比較結果に基づいて、温度制御型水晶発振器３の発振周波数を原子発振器２の発振周波数に一致させるように制御する。
【００３０】
［筐体］
筐体６（ハウジング）は、図２に示すように、前述した原子発振器２および温度制御型水晶発振器３を収納する。このように、原子発振器２および温度制御型水晶発振器３を共通の筐体６内に収納することにより、原子発振器２と温度制御型水晶発振器３とを共通の温度調節手段により温度調節することができる。また。原子発振器２と温度制御型水晶発振器３との間での効率的な熱交換を可能とし、原子発振器２および温度制御型水晶発振器３の温度調節を効率的に行うことができる。また、原子発振器２および温度制御型水晶発振器３を別々の筐体に収納する場合に比し、発振装置１の小型化および簡素化を図ることができる。
【００３１】
本実施形態では、筐体６は、内層６１（第１の筐体）と、内層６１を収納する外層６２（第２の筐体）とを有する。これにより、筐体６の内層６１と外層６２との間の空間が断熱層を構成する。かかる断熱層は、原子発振器２および温度制御型水晶発振器３を覆う。そのため、筐体６内に対する外部の温度変化の影響を低減することができる。
内層６１は、原子発振器２および温度制御型水晶発振器３を収納する空間を有する。
【００３２】
本実施形態では、内層６１内には、回路基板７１（配線基板）が原子発振器２および温度制御型水晶発振器３とともに収納されている。この回路基板７１は、原子発振器２および温度制御型水晶発振器３を支持するとともに、原子発振器２および温度制御型水晶発振器３に電気的に接続されている。
この回路基板７１は、複数の端子７２を介して内層６１に支持されている。
【００３３】
この複数の端子７２は、内層６１を内外に貫通している。そして、この複数の端子７２は、回路基板７１と後述する回路基板６２１とを電気的に接続している。
また、複数の端子７２は、一端部が回路基板７１に固定され、他端部が外層６２（回路基板６２１）に固定されている。これにより、内層６１が複数の端子７２を介して外層６２に支持されている。そのため、内層６１と外層６２との間の空間を内層６１の全体を覆うように形成することができる。
外層６２は、内層６１を収納する空間を有する。
【００３４】
本実施形態では、外層６２の壁部の一部が回路基板６２１を構成している。かかる回路基板６２１には、前述した補正手段４の周波数比較器４１および周波数制御回路４２や、後述する温度調節手段５の温度制御回路５２等が設けられている。
また、回路基板６２１には、外層６２の外側に突出するように複数の端子７３が設けられている。この複数の端子７３は、回路基板６２１と電気的に接続されている。
【００３５】
また、内層６１の外側でかつ外層６２内の空間は、減圧されているのが好ましい。すなわち、筐体６の内層６１と外層６２との間の空間の断熱層は、減圧された空間で構成されているのが好ましい。これにより、かかる断熱層の断熱性を高め、筐体６内に対する外部の温度変化の影響をより効果的に低減することができる。
また、本実施形態では、内層６１内（筐体６の原子発振器２および温度制御型水晶発振器３を収納する空間）は、空気、窒素ガス、希ガス等の気体が封入されているのが好ましい。これにより、後述する温度調節素子５１により原子発振器２および温度制御型水晶発振器３を温度調節することができる。
【００３６】
［温度調節手段］
温度調節手段５は、前述した筐体６内を所定温度に温度調節するものである。
この温度調節手段５は、図１に示すように、温度調節素子５１と、温度制御回路５２とを備える。
温度調節素子５１は、筐体６を加熱または冷却するものである。これにより、外部（筐体６の外部）の温度が変化しても、筐体６内の温度を適正温度範囲に維持することができる。
【００３７】
温度調節素子５１としては、通電により加熱または冷却することができるものであれば、特に限定されないが、ヒーター（発熱抵抗体）、ペルチェ素子等を用いることができる。
本実施形態では、温度調節素子５１は、前述した筐体６の内層６１と外層６２との間に設けられている。これにより、比較的簡単な構成で、筐体６内（具体的には内層６１内）を均一に温度調節することができる。
【００３８】
また、温度制御回路５２は、筐体６内の温度が所望の温度範囲となるように、温度調節素子５１への通電を制御するものである。例えば、温度制御回路５２は、筐体６内の温度を検出する温度センサーの検出結果に基づいて、温度調節素子５１への通電を制御する。これにより、筐体６内を所望の温度範囲内に維持することができる。
また、温度制御回路５２は、前述した回路基板６２１の内側に設けられている。すなわち、温度制御回路５２は、内層６１と外層６２との間に設けられている。これにより、温度制御回路５２に対する外部の温度変化による影響を少なくすることができる。その結果、筐体６内に対する外部の温度変化の影響をより効果的に低減することができる。また、温度制御回路５２と原子発振器２および温度制御型水晶発振器３との間の熱交換による影響も少なくすることができる。
【００３９】
以上説明したような本実施形態の発振装置１によれば、原子発振器２と温度制御型水晶発振器３とを共通の温度調節手段５により温度調節することができる。その結果、発振装置１の小型化および簡素化を図ることができる。また、原子発振器２および温度制御型水晶発振器３に対する外部の温度変化による影響を防止または低減して、原子発振器２および温度制御型水晶発振器３の発振特性を優れたものとすることができる。
【００４０】
また、原子発振器２の出力信号に基づいて温度制御型水晶発振器３の出力を補正することにより、長期にわたり優れた発振特性を発揮することができる。
すなわち、原子発振器２の長期的に優れた発振特性（高い長期安定度）と、温度制御型水晶発振器３の短期的に優れた発振特性（高い短期安定度）との両長所を生かし、長期にわたり優れた発振特性を発揮することができる。また、量子干渉効果を利用した原子発振器２は、二重共鳴現象を利用した原子発振器に比し、小型化が可能である。そのため、発振装置１の小型化を図ることができる。
【００４１】
＜第２実施形態＞
次に、本発明の第２実施形態について説明する。
図５は、本発明の第２実施形態に係る発振装置の概略構成を示す断面図である。
本実施形態にかかる発振装置は、筐体および温度調節手段の構成が異なる以外は、前述した第１実施形態にかかる発振装置と同様である。
【００４２】
なお、以下の説明では、第２実施形態の発振装置に関し、第１実施形態との相違点を中心に説明し、同様の事項に関してはその説明を省略する。また、図５において、前述した実施形態と同様の構成については、同一符号を付している。
図５に示す発振装置１Ａは、原子発振器２および温度制御型水晶発振器３を収納する筐体６Ａと、筐体６Ａ内を所定温度に温度調節する温度調節手段５Ａとを備える。
筐体６Ａは、前述した第１実施形態の筐体６の内層６１と同様に構成されている。
【００４３】
温度調節手段５Ａは、筐体６Ａの外表面上に設けられた温度調節素子５１と、原子発振器２の外表面上に設けられた温度調節素子５３と、温度制御型水晶発振器３の外表面上に設けられた温度調節素子５４とを有する。
温度調節素子５３は、原子発振器２を加熱または冷却するものである。これにより、原子発振器２を効率的に温度調節することができる。
【００４４】
温度調節素子５４は、温度制御型水晶発振器３を加熱または冷却するものである。これにより、温度制御型水晶発振器３を効率的に温度調節することができる。
温度調節素子５３、５４としては、それぞれ、通電により加熱または冷却することができるものであれば、特に限定されないが、ヒーター（発熱抵抗体）、ペルチェ素子等を用いることができる。
この温度調節素子５１、５３、５４は、図示しない温度制御回路により、通電制御される。
【００４５】
また、本実施形態では、筐体６Ａの原子発振器２および温度制御型水晶発振器３を収納する空間は、減圧されているのが好ましい。これにより、筐体６Ａ内にて原子発振器２および温度制御型水晶発振器３を覆う空間で構成された断熱層の断熱性を高めることができる。そのため、筐体６Ａ内に対する外部の温度変化の影響をより効果的に低減することができる。
【００４６】
以上説明したような第２実施形態に係る発振装置１Ａによっても、長期にわたり優れた発振特性を発揮し得るとともに、小型化および簡素化を図ることができる。
図６は、ＧＰＳ衛星を利用した測位システムに第１実施形態の発振装置を用いた場合のシステム構成概要図である。
図６に示す測位システム１００は、ＧＰＳ衛星２００と、基地局装置３００と、ＧＰＳ受信装置４００とで構成されている。ＧＰＳ衛星２００は、測位情報（ＧＰＳ信号）を送信する。
【００４７】
基地局装置３００は、例えば電子基準点（ＧＰＳ連続観測局）に設置されたアンテナ３０１を介してＧＰＳ衛星２００からの測位情報を高精度に受信する受信装置３０２と、この受信装置３０２で受信した測位情報をアンテナ３０３を介して送信する送信装置３０４とを備える。
ここで、受信装置３０２は、その基準周波数発振源として前述した本発明の発振装置１を備える電子装置である。このような受信装置３０２は、優れた信頼性を有する。また、受信装置３０２で受信された測位情報は、リアルタイムで送信装置３０４により送信される。ＧＰＳ受信装置４００は、ＧＰＳ衛星２００からの測位情報をアンテナ４０１を介して受信する衛星受信部４０２と、基地局装置３００からの測位情報をアンテナ４０３を介して受信する基地局受信部４０４とを備える。
【００４８】
以上、本発明の発振装置および電子装置について、図示の実施形態に基づいて説明したが、本発明は、これらに限定されるものではない。
また、本発明の発振装置および電子装置では、各部の構成は、同様の機能を発揮する任意の構成のものに置換することができ、また、任意の構成を付加することもできる。
また、本発明の発振装置および電子装置は、前述した各実施形態の任意の構成同士を組み合わせるようにしてもよい。
【符号の説明】
【００４９】
１‥‥発振装置  １Ａ‥‥発振装置  ２‥‥原子発振器  ３‥‥温度制御型水晶発振器  ４‥‥補正手段  ５‥‥温度調節手段  ５Ａ‥‥温度調節手段  ６‥‥筐体  ６Ａ‥‥筐体  ２１‥‥ガスセル  ２２‥‥光出射部  ２３‥‥光検出部  ２４‥‥発振回路  ３１‥‥水晶振動子  ３２‥‥発振回路  ４１‥‥周波数比較器  ４２‥‥周波数制御回路  ５１‥‥温度調節素子  ５２‥‥温度制御回路  ５３‥‥温度調節素子  ５４‥‥温度調節素子  ６１‥‥内層  ６２‥‥外層  ７１‥‥回路基板  ７２‥‥端子  ７３‥‥端子  １００‥‥測位システム  ２００‥‥ＧＰＳ衛星  ３００‥‥基地局装置  ３０１‥‥アンテナ  ３０２‥‥受信装置  ３０３‥‥アンテナ  ３０４‥‥送信装置  ４００‥‥ＧＰＳ受信装置  ４０１‥‥アンテナ  ４０２‥‥衛星受信部  ４０３‥‥アンテナ  ４０４‥‥基地局受信部  ６２１‥‥回路基板  ω０‥‥周波数  ω１‥‥周波数  ω２‥‥周波数
【図１】
0005874522.tif 000002
【図２】
0005874522.tif 000003
【図３】
0005874522.tif 000004
【図４】
0005874522.tif 000005
【図５】
0005874522.tif 000006
【図６】
0005874522.tif 000007